(57)【要約】【課題】  本発明は、日射遮蔽装置において、遮蔽用幕体の上縁を遮光用幕体昇降手段よりも高揚するブラケットであって、操作性が良好であり、遮蔽用幕体昇降手段の前後幅には関係なく日射遮蔽装置の外観が向上するものを提供する。【解決手段】  日射遮蔽装置の遮蔽用幕体昇降手段を壁面等に固定されるフレームに内装し、そのフレームに複数の上方に延長するブラケットを脱着可能に固定し、そのブラケットに直接又はレールを介して遮蔽用幕体の上縁部を吊り下げ支持する。【選択図】      図２
2006230425.tif 000002
【特許請求の範囲】
【請求項１】
遮蔽用幕体昇降手段を内装して壁面等に固定されるフレームを備える日射遮蔽装置において、前記フレームに脱着可能に固定されるブラケットであって、上方に延長して遮蔽用幕体の上縁部を直接又はレールを介して吊り下げるアームを備えることを特徴とする遮蔽用幕体高揚ブラケット。
【請求項２】
遮蔽用幕体は上縁部にレールを挿通する複数のタブを備えることを特徴とする請求項１に記載の遮蔽用幕体高揚ブラケット。
【請求項３】
遮蔽用幕体は上縁部に鳩目を備えることを特徴とする請求項１に記載の遮蔽用幕体高揚ブラケット。
【請求項４】
アームはベースに脱着可能に固定され、前記ベースはフレームに弾性的に脱着可能に固定されることを特徴とする請求項１ないし３のいずれか１つにに記載の遮蔽用幕体高揚ブラケット。
【請求項５】
ベースは、フレームの前後面の一方に掛かる形状のベース本体と、前記ベース本体に前後方向摺動可能に内装されて前記フレームの前後面の他方に掛かる爪と、前記ベース本体と前記爪が前記フレームを挟持するように前記爪を弾圧するバネとからなることを特徴とする請求項４に記載の遮蔽用幕体高揚ブラケット。
【請求項６】
アームに補助アームが付設され、遮蔽用幕体上縁部は前記アームと前記補助アームの先端部同士の間に保持されることを特徴とする請求項１ないし５のいずれか１つに記載の遮蔽用幕体高揚ブラケット。
【請求項７】
補助アームは、アームに脱着可能に固定されることを特徴とする請求項６に記載の遮蔽用幕体高揚ブラケット。
【請求項８】
補助アームは、アームに揺動自在に軸着され、前記補助アームの先端を前記アームの先端に近接させるバネが設けられることを特徴とする請求項６に記載の遮蔽用幕体高揚ブラケット。
【発明の詳細な説明】
【技術分野】
【０００１】
本発明は、遮蔽用幕体の上縁を遮蔽用幕体昇降手段よりも高揚するために設けられる遮蔽用幕体高揚ブラケットに関する。
【背景技術】
【０００２】
遮蔽用幕体を昇降させる日射遮蔽装置は、通常、上飾りを設けて外観を向上させる。しかし、遮蔽用幕体の上縁部を遮蔽用幕体昇降手段よりも高揚すると、上飾りを設けなくても外観を向上することができる。遮蔽用幕体の上縁部を遮蔽用幕体昇降手段よりも高揚する日射遮蔽装置は、特開２００３−３１０４２１号公報に開示されている。その昇降カーテン装置は、壁面に固定されるブラケットにカーテンレールを支持し、カーテン上縁部のタブにカーテンレールを挿通し、カーテンレールにカーテン昇降手段を吊り下げ支持するものである。
【０００３】
この昇降カーテン装置は、カーテン昇降手段をカーテンレールに吊り下げ支持すため、昇降操作時に、カーテン昇降手段が動揺して操作性が劣るという問題がある。また、この昇降カーテン装置は、カーテン昇降手段の前後幅が比較的大きい場合、例えば、ドラム式昇降手段の場合、カーテン昇降手段の前面がカーテンレールよりも前に位置してカーテンが上縁部から折れて垂下するため、外観が見苦しいという問題がある。
【特許文献１】特開２００３−３１０４２１号公報
【発明の開示】
【発明が解決しようとする課題】
【０００４】
本発明は、この問題を解決するためになされたものであり、その課題は、遮蔽用幕体を昇降させる日射遮蔽装置において、遮蔽用幕体の上縁を遮蔽用幕体昇降手段よりも高揚するブラケットであって、操作性が良好であり、遮蔽用幕体昇降手段の前後幅には関係なく、日射遮蔽装置の外観が向上するものを提供することである。
【課題を解決するための手段】
【０００５】
前記課題を達成するため、本発明が採用する手段は、遮蔽用幕体昇降手段を内装して壁面等に固定されるフレームに上方に延長するブラケットを脱着可能に固定し、そのブラケットに直接又はレールを介して遮蔽用幕体の上縁部を吊り下げ支持することを特徴とする。
【発明の効果】
【０００６】
本発明は、上記手段により、遮蔽用幕体の上縁部が遮蔽用幕体昇降手段よりも高揚するから、日射遮蔽装置の外観は良好であり、遮蔽用幕体昇降手段が壁面等に固定されるフレームに保持され、昇降時も動揺することなく安定するから、日射遮蔽装置の昇降操作性は軽快であり、ドラム式昇降手段の場合も、遮蔽用幕体は上縁部から折れることなく真直に垂下するから、外観が見苦しくなるおそれはない。
【発明を実施するための最良の形態】
【０００７】
遮蔽用幕体は、上縁部にレールを挿通する複数のタブを備えるものか、又は上縁部に複数の鳩目を備えるものとし、アームの先端部は、レールを軸受けすることも、遮蔽用幕体上縁部の鳩目を掛けることも可能な形状に形成することが好ましい。しかし、遮蔽用幕体の上端部は、マジックテープ（登録商標）を介してアームの先端部に固定することも、折り返してアームの先端部に差し込むことも可能である。
【０００８】
ブラケットは、フレームの外面に弾性的に又はネジ止めにより脱着可能に固定されるベースと、そのベースにボルト・ナット類を介して固定されるアームとから形成し、ベースは、フレームの前面又は後面に掛かる形状のベース本体と、そのベース本体に前後方向摺動可能に内装されてフレームの後面又は前面に掛かる爪と、ベース本体と爪がフレームを挟持するように爪を弾圧するバネとから形成する。
【０００９】
アームに補助アームを取り付けて遮蔽用幕体の上縁部又はレールをアームとの間に保持することが好ましい。補助アームは、アームにボルト・ナット類を介して固定することも、軸着して揺動自在に取り付けることも可能である。
【実施例】
【００１０】
本発明を図面に示す実施例に基づいて説明する。図１は、本発明のブラケットを備える日射遮蔽装置の前面図、図２は、図１の日射遮蔽装置の要部側面図、図３、図４、図５は、ブラケットの前面図、後面図、分解断面図である。
【００１１】
図１及び図２に示すように、日射遮蔽装置のフレーム１は、図外の壁面に図外のブラケットを介して固定される。フレーム１にはカーテン２を昇降する昇降手段３が内装され、カーテン２の上縁部には丸棒状のカーテンレール５を挿通する複数の広幅なタブ４が縫着される。カーテンレール５は、フレーム１に固定される複数のブラケット６に軸受けされる。
【００１２】
ブラケット６は、フレームの上面に弾性的に脱着可能に固定されるベース７と、そのベース７に固定されるアーム８とからなり、上方に延長するアーム８は先端部においてカーテンレール５を軸受する。アーム８には補助アーム９が取り付けられ、補助アーム９はカーテンレール５をアーム８との間に保持する。
【００１３】
ベース７は、フレーム１の前後面の一方に掛かる形状のベース本体１０と、ベース本体１０に前後方向摺動可能に内装されてフレーム１の前後面の他方に掛かる爪１１と、ベース本体１０と爪１１がフレーム１を挟持するように爪１１を弾圧するバネ１２とからなる。
【００１４】
図３、図４、図５に示すように、ベース本体１０は板金製であり、その横断面は下向きに開口するコ字形である。アーム８は樹脂成型品であり、下端部は上からベース本体に外嵌する。アーム８とベース本体１０は、両者を上下に貫通するボルト・ナット１３を介して一体に結合する。
【００１５】
アーム８の下端部から上の部分は横断面が後向きに開口するコ字形である。側面から見ると、先端部はＬ字形であり、後面に半円形の軸受面を有する。補助アーム９はアーム８のコ字形開口に嵌り込む形状であり、先端部の前面には軸受曲面を有する。アーム８と補助アーム９は、両者を前後方向に貫通するボルト・ナット１３を介して一体に結合する。
【００１６】
図１及び図２に示すように、昇降手段３は、比較的前後幅が広いドラム式である。カーテン２は、フレーム１の前方において昇降手段３よりも高揚する上縁部から真直に垂下するから、日射遮蔽装置の外観は至極良好である。昇降手段３は壁面等に固定されるフレーム１に保持され、昇降時も動揺することなく安定するから、日射遮蔽装置の昇降操作は軽快である。
【００１７】
図６は、別のカーテンを高揚する日射遮蔽装置の前面図、図７は、図６の日射遮蔽装置の要部を示す側断面図である。
【００１８】
図６及び図７に示す日射遮蔽装置は、カーテンレールを欠き、カーテン２ａは上縁部に複数の鳩目１４を有するが、カーテンとカーテンレールを除くと、図１ないし図５に示すものと同じ構成である。
【００１９】
フレーム１に固定される複数のブラケット６のアーム８の先端部に、鳩目１４の丸孔を掛け、ブラケット６にカーテン２ａを直接吊り下げる。このとき、カーテン２ａの上縁部は補助アーム９にバックアップされて安定する。上記以外の効果は、図１ないし図５に示すものと全く同じである。
【００２０】
図８に示すブラケット６ａは、側面から見ると、カーテンレール５を支持するアーム８ａの先端部が前方斜め上向きに開口するＵ字形軸受面を形成する。補助アーム９ａはアーム８ａに前後揺動自在に軸着され、アーム８ａと補助アーム９ａの間にはバネ１５が介在する。矢印Ａで示すように、カーテンレール５を上下に出入するときは、バネ１５の弾性反発力に抗してアーム８ａと補助アーム９ａの先端同士を前後に開き、カーテンレール５を軸受けするときは、バネ１５の弾性反発力によりアーム８ａと補助アーム９ａの先端同士を閉じてカーテンレール５の脱落を防止する。上記以外の効果は、図１ないし図５に示すものと全く同じである。
【図面の簡単な説明】
【００２１】
【図１】本発明のブラケットを備える日射遮蔽装置の前面図、
【図２】図１の日射遮蔽装置の要部を示す側断面図、
【図３】ブラケットの前面図、
【図４】ブラケットの後面図、
【図５】ブラケットの分解側面図、
【図６】別の日射遮蔽装置の前面図、
【図７】図６の日射遮蔽装置の要部を示す側断面図、
【図８】別のブラケットの側面図。
【符号の説明】
【００２２】
１：フレーム
２、２ａ：カーテン
３：昇降手段
４：タブ
５：カーテンレール
６，６ａ：ブラケット
７：ベース
８、８ａ：アーム
９、９ａ：補助アーム
１０：ベース本体
１１：爪
１２：バネ
１３：ボルト・ナット
１４：鳩目
１５：バネ
【図１】
2006230425.tif 000003
【図２】
2006230425.tif 000004
【図３】
2006230425.tif 000005
【図４】
2006230425.tif 000006
【図５】
2006230425.tif 000007
【図６】
2006230425.tif 000008
【図７】
2006230425.tif 000009
【図８】
2006230425.tif 000010